(57)【要約】  軌道（２）を加工する加工機械（１）は、エネルギ供給用のエネルギ供給ユニット（６）と、供給されたエネルギにより運転可能な加工ユニット（７）とを有している。エネルギ供給ユニット（６）と加工ユニット（７）とは、互いに別個に形成されている。これにより、加工ユニット（７）はエネルギ供給ユニット（６）から空間的に分離されて運転可能であり、これによりオペレータにやさしく、フレキシブルで確実な軌道（２）の加工が可能になる。
2021535300.tif 000002
【特許請求の範囲】
【請求項１】
軌道を加工する加工機械であって、
エネルギ供給用のエネルギ供給ユニット（６）と、
供給されたエネルギにより運転可能な加工ユニット（７）と、
を備える加工機械において、
前記エネルギ供給ユニット（６）と前記加工ユニット（７）とは互いに別個に形成されていることを特徴とする、加工機械。
【請求項２】
前記エネルギ供給ユニット（６）は、支持フレーム（１１）と、該支持フレーム（１１）に回転可能に支承された少なくとも１つのガイドローラ（１２，１３，１２’，１３’）とを有している、請求項１記載の加工機械。
【請求項３】
前記エネルギ供給ユニット（６）は、レール長手方向（１６）に沿って配置された複数のガイドローラ（１２，１３）を有している、請求項１または２記載の加工機械。
【請求項４】
前記エネルギ供給ユニット（６）は、該エネルギ供給ユニット（６）を前記軌道（２）において支持する少なくとも１つの支持部材（２０，２１）を有している、請求項１から３までのいずれか１項記載の加工機械。
【請求項５】
前記少なくとも１つの支持部材（２０，２１）は、ガイドローラ（１２，１３）のうちの少なくとも１つに対して変位可能である、請求項４記載の加工機械。
【請求項６】
前記エネルギ供給ユニット（６）は、該エネルギ供給ユニット（６）を手動で移動させるための少なくとも１つのハンドル（１７，１８）を有している、請求項１から５までのいずれか１項記載の加工機械。
【請求項７】
前記エネルギ供給ユニット（６）は、前記加工ユニット（７）を一時的に保持するための保持体（２２）を有している、請求項１から６までのいずれか１項記載の加工機械。
【請求項８】
前記エネルギ供給ユニット（６）は、電気エネルギ蓄え器（２９）を有している、請求項１から７までのいずれか１項記載の加工機械。
【請求項９】
第１の支持フレーム（１１）を有する前記エネルギ供給ユニット（６）と、第２の支持フレーム（３０）を有する前記加工ユニット（７）とは、機械的に互いに分離されて形成されている、請求項１から８までのいずれか１項記載の加工機械。
【請求項１０】
前記エネルギ供給ユニット（６）と前記加工ユニット（７）とをそれぞれ独立して手動で移動させるために、前記エネルギ供給ユニット（６）は第１のハンドル（１７）を有しており、前記加工ユニット（７）は第２のハンドル（３３）を有している、請求項１から９までのいずれか１項記載の加工機械。
【請求項１１】
前記加工ユニット（７）は、前記軌道（２）の一方のレール（３，４）上を手動で移動するために、複数のガイドローラ（３１，３２）を有している、請求項１から１０までのいずれか１項記載の加工機械。
【請求項１２】
前記加工ユニット（７）は、レール削正ユニットとして形成されている、請求項１から１１までのいずれか１項記載の加工機械。
【請求項１３】
前記エネルギ供給ユニット（６）は、支持フレーム（１１）と、前記エネルギ供給ユニット（６）を移動させるために前記支持フレーム（１１）に回転可能に支承された少なくとも１つの車輪（４０，４１）とを有している、請求項１から１２までのいずれか１項記載の加工機械。
【請求項１４】
前記エネルギ供給ユニット（６）は、少なくとも１つのガイドローラ（１２，１３，１２’，１３’）および／または少なくとも１つの車輪（４０，４１）を回転駆動する少なくとも１つの補助駆動装置（４８，４９）を有している、請求項１から１３までのいずれか１項記載の加工機械。
【請求項１５】
前記エネルギ供給ユニット（６）は、運搬面（５１）、特に運搬容器（５０）を有している、請求項１から１４までのいずれか１項記載の加工機械。
【請求項１６】
軌道を加工する方法であって、
請求項１から１５までの少なくとも１項記載の加工機械を準備するステップと、
エネルギ供給ユニットと加工ユニットとを、空間的に互いに分離して運転するステップと、
を含む方法。
【発明の詳細な説明】
【技術分野】
【０００１】
本特許出願は、独国実用新案出願第２０２０１８１０４９６７４号明細書および独国実用新案出願第２０２０１９１００１３９９号明細書の優先権を主張し、その内容は参照により本明細書に援用される。
【０００２】
本発明は、軌道を加工する加工機械に関する。加工機械は、特に軌道のレール、まくらぎおよび／または道床もしくは路盤の加工に用いられる。さらに本発明は、軌道を加工する方法に関する。
【背景技術】
【０００３】
独国実用新案第２０２０１６００５８４１号明細書から公知の軌道加工機械は、軌道のレール上を手動で移動可能である。この機械は、エネルギモジュールおよび作業モジュールを有している。作業モジュールは、ガイドローラにより軌道の第１のレールに沿って案内されかつガイドローラが配置された横方向アームを介して軌道の第２のレールに支持された機械フレームを有している。エネルギモジュールは、横方向アームに取外し可能に取り付けられており、作業モジュールと電気的に接続されている。軌道加工時には、作業モジュールとエネルギモジュールとが共に手動でレール上を移動させられる。
【０００４】
独国特許出願公開第４４３７５４１号明細書から公知の、削正機を備えた削正装置は、一方ではユニット・駆動車につながれており、かつ他方ではファン・フィルタ車につながれている。ユニット・駆動車は、削正装置のエネルギ供給手段を有している。
【０００５】
独国特許第６９７２０３７１号明細書（Ｔ２）からは、接線方向削正機が公知である。接線方向削正機の運搬には、電力供給用の発電機ユニットが装備された駆動装置が用いられる。
【発明の概要】
【発明が解決しようとする課題】
【０００６】
本発明の根底を成す課題は、オペレータにやさしく、フレキシブルで確実な軌道の加工を可能にする、簡単に構成される加工機械を提供することにある。
【課題を解決するための手段】
【０００７】
この課題は、請求項１記載の特徴を有する加工機械によって解決される。エネルギ供給ユニットと加工ユニットとが互いに別個に形成されていることにより、これらは空間的に互いに分離されて運転可能である。加工機械は、特にエネルギを伝達するためにエネルギ供給ユニットと加工ユニットとに接続されたエネルギ伝達接続手段を有している。エネルギ供給ユニットおよび加工ユニットは、加工機械の運転中に専らエネルギ伝達接続手段によってのみ互いに接続された別個の機能ユニットを形成しており、したがって、運転に必要とされるエネルギが加工ユニットに供給されるようになっている。エネルギ伝達接続手段は、エネルギ供給用の少なくとも１つの供給導線と、場合により信号エネルギ伝達用の少なくとも１つの信号導線とを有している。少なくとも１つの信号導線は、好適には加工ユニットの制御に用いられる。別個に形成することにより、加工ユニットは比較的軽量であり、簡単に取り扱うことができる。エネルギ供給ユニットと加工ユニットとは、特に機械的に互いに分離されて形成されている。軌道を加工するには、加工ユニットだけを手動で操作して移動させれば済む。エネルギ供給ユニットは軌道の加工中、位置固定された位置に留まっている。つまり、エネルギ供給ユニットは軌道の加工中に移動しない。要するに、エネルギ供給ユニットと加工ユニットとは互いに別個に形成されており、したがって、エネルギ供給ユニットと加工ユニットとは互いに独立して移動可能である。特に、加工ユニットの移動は、エネルギ供給ユニットを同時に移動させること無しに可能であり、反対にエネルギ供給ユニットの移動は、加工ユニットを同時に移動させること無しに可能である。加工半径は、エネルギ伝達接続手段およびその長さによってのみ制限される。エネルギ伝達接続手段の長さＬには、好適には、２ｍ≦Ｌ≦３０ｍ、特に３ｍ≦Ｌ≦２０ｍ、特に４ｍ≦Ｌ≦１０ｍが当てはまる。エネルギ供給ユニットは加工中、位置固定された位置に留まっていてよく、元の加工半径の外側の軌道の加工をさらに行おうとする場合にのみ移動させれば済む。軌道の加工は、エネルギ供給ユニットに対して所望の間隔をあけて行うことができるため、オペレータがエネルギ供給ユニットのエミッション、例えば騒音エミッションおよび／または排ガスエミッションにより妨害されることはない。つまり、この加工機械はオペレータにやさしく、フレキシブルで確実な軌道の加工を可能にする。
【０００８】
エネルギ伝達接続手段は、特に電気式、液圧式かつ／または機械式に形成されている。エネルギ伝達接続手段は、例えば電気供給導線、液圧供給導管および／またはフレキシブルな機械的な伝達軸として形成されている。好適には、加工ユニットは電気エネルギ、液圧エネルギおよび／または機械エネルギにより運転可能である。
【０００９】
エネルギ供給ユニットは、特に少なくとも１つの電気的な接続部を有している。少なくとも１つの電気的な接続部は、直流電圧コンセント、交流電圧コンセント、ＵＳＢソケットおよび／または機械固有の接続部として形成されている。好適には、エネルギ供給ユニットは直流電圧および／または交流電圧を供給するための変換器、特に整流器および／またはインバータを有している。電圧の高さは、好適には調節可能かつ／または選択可能である。好適には、エネルギ供給ユニットおよび／または加工ユニットは、加工ユニットの運転用のエネルギを供給するための電気供給導線を接続する少なくとも１つの接続部を有している。
【００１０】
加工ユニットは、例えばレール削正ユニットとして、軌道を取り付ける取付けユニットとしてかつ／または道床を締め固める締固めユニットとして形成されている。好適には、エネルギ供給ユニットは種々様々な加工ユニットにエネルギを供給するように接続可能であり、したがって、必要とされる加工の種類に応じて種々様々な加工ユニットを、単一のエネルギ供給ユニットにより運転することができるようになっている。
【００１１】
請求項２記載の加工機械は、オペレータにやさしくフレキシブルな加工を保証する。少なくとも１つのガイドローラにより、エネルギ供給ユニットは軌道のレール上を簡単に移動可能であり、特に手動で移動可能である。エネルギ供給ユニットは、特に少なくとも２つのガイドローラ、特に少なくとも３つのガイドローラ、特に少なくとも４つのガイドローラを有している。少なくとも２つのガイドローラは、例えば支持フレームに回転可能に支承されており、したがってエネルギ供給ユニットは、軌道の１つのレールまたは２つのレール上を移動することができるようになっている。少なくとも１つのガイドローラは、エネルギ供給ユニットを手動で押しずらすもしくは移動させるためおよび／またはモータにより移動させるために用いられる。
【００１２】
好適には、少なくとも１つのガイドローラが支持フレームに配置されており、これにより、エネルギ供給ユニットは片方のレール上のみを移動可能であり、特に手動で移動可能であるため、一方ではエネルギ供給ユニットは片方のレールのみを閉塞しており、かつ他方ではエネルギ供給ユニットを移動させるためには片方のレールからのみ障害物が除去されていればよい。つまりエネルギ供給ユニットは、一方の軌道位置から他方の軌道位置まで、オペレータにやさしくかつフレキシブルに移動可能である。
【００１３】
好適には、少なくとも２つのガイドローラが支持フレームに配置されており、したがって、エネルギ供給ユニットは２つのレール上を移動可能であり、特に手動で移動可能である。これにより、レール上およびレールの横、例えば道路または固められた道でのエネルギ供給ユニットの簡単な移動、特に手動での移動および／またはモータによる移動が可能である。エネルギ供給ユニットは、簡単かつ確実に所望の位置に止めることができると共に、自動的に移動しないように位置固定することができる。
【００１４】
請求項３記載の加工機械は、オペレータにやさしくフレキシブルな加工を保証する。レール長手方向に沿って複数のガイドローラを配置することにより、エネルギ供給ユニットは片側のレールのみに沿って簡単に移動可能であり、特に手動で移動可能である。ガイドローラのこの配置形式は、特にエネルギ供給ユニットを手動で軌道の片側のレール上を移動させるために用いられる。さらに、レールを中心としたエネルギ供給ユニットの傾倒が可能になるため、レール上を手動で移動させてからエネルギ供給ユニットを傾けて、まくらぎおよび／または路盤もしくは道床に支持させることができる。
【００１５】
請求項４記載の加工機械は、オペレータにやさしく確実な加工を可能にする。少なくとも１つの支持部材により、まくらぎおよび／または路盤もしくは道床上でのエネルギ供給ユニットの支持が可能になるため、手動での移動後に、例えば急傾斜の軌道において自動的に移動しないように、エネルギ供給ユニットは簡単に位置固定されている。少なくとも１つの支持部材は、少なくとも１つのガイドローラの側方に配置されており、したがって、レール上でのまたはレールを中心とした簡単な傾倒による、エネルギ供給ユニットの支持および位置固定が可能である。好適には、エネルギ供給ユニットは、少なくとも１つのガイドローラの２つの側に配置されておりかつ／またはレール長手方向もしくはエネルギ供給ユニットの移動方向に沿って配置された複数の支持部材を有している。これにより、フレキシビリティおよび安全性が向上されることになる。少なくとも１つの支持部材は、例えば支持枠として形成されている。
【００１６】
請求項５記載の加工機械は、オペレータにやさしくフレキシブルで確実な加工を保証する。少なくとも１つの支持部材が、少なくとも１つのガイドローラに対して移動可能であることにより、一方ではエネルギ供給ユニットを手動で移動させるために少なくとも１つの支持部材とまくらぎとの間の間隔を調節することができ、かつ他方ではエネルギ供給ユニットを支持するために傾きの程度を調節することができるようになっている。好適には移動は、エネルギ供給ユニットの移動状態では少なくとも１つの支持部材が少なくとも１つのガイドローラを素地の方向に越えて突出しないようにして可能であり、したがって、エネルギ供給ユニットは少なくとも１つのガイドローラでもって固い素地上をも手動で移動可能である。
【００１７】
請求項６記載の加工機械は、オペレータにやさしく確実な加工を保証する。少なくとも１つのハンドルが、エネルギ供給ユニットのオペレータにやさしい手動での移動および／または手動での傾倒を可能にする。好適には、少なくとも１つのハンドルは、エネルギ供給ユニットの支持フレームに対して少なくとも部分的に変位可能であり、したがってエネルギ供給ユニットは、搬入・搬出または保管用にコンパクトな構成を有している。少なくとも１つのハンドルは、特に旋回可能かつ／または伸縮可能に形成されている。
【００１８】
請求項７記載の加工機械は、オペレータにやさしくフレキシブルな加工を保証する。少なくとも１つの保持体が、エネルギ供給ユニットを加工ユニットと共に手動で移動させることを可能にする。第１の軌道位置で軌道を加工した後に、オペレータは加工ユニットを少なくとも１つの保持体に配置してよく、したがって加工ユニットは、そこに一時的に保持されることになる。次いでオペレータはエネルギ供給ユニットと、エネルギ供給ユニットに保持された加工ユニットとを共に手動で第２の軌道位置に移動させ、第２の軌道位置において引き続き加工を実施することができる。このためにはオペレータが、加工ユニットを少なくとも１つの保持体から再び外し、第２の軌道位置において引き続き加工を実施してよい。
【００１９】
請求項８記載の加工機械は、フレキシブルな加工を保証する。電気エネルギ蓄え器は、特にアキュムレータおよび／またはコンデンサとして形成されている。アキュムレータにより、大容量の蓄え器を提供することができる。なぜなら、一方ではアキュムレータの重量が加工ユニットの取扱いを妨げることはなく、他方ではエネルギ供給ユニットの取扱いもやはり、ユーザフレンドリーであり続けるからである。コンデンサは特に、内燃機関、内燃機関に連結された発電機および充電回路を含む電気エネルギ発生器により給電される。コンデンサは、エネルギ・エミッションが最適化された内燃機関の運転を保証し、したがって使い易さが向上することになる。エネルギ供給ユニットおよび／または加工ユニットは、好適には特に電気エネルギ蓄え器により給電される照明を有している。
【００２０】
請求項９記載の加工機械は、簡単な構成を保証する。エネルギ供給ユニットと加工ユニットとが別個の支持フレームを有していることにより、エネルギ供給ユニットと加工ユニットとの機械的な分離が簡単に保証される。このようにして、エネルギ供給ユニットと加工ユニットとは、互いに独立して移動可能かつ作動可能な別個の機能ユニットを形成している。
【００２１】
請求項１０記載の加工機械は、オペレータにやさしくフレキシブルな加工を保証する。エネルギ供給ユニットと加工ユニットとがそれぞれ固有のハンドルを有していることにより、これらは互いに独立して簡単かつユーザフレンドリーに移動可能かつ作動可能である。
【００２２】
請求項１１記載の加工機械は、オペレータにやさしくフレキシブルな加工を保証する。加工ユニットが固有のガイドローラを有していることにより、加工ユニットはエネルギ供給ユニットから独立して、軌道の片方のレールに沿って手動で移動可能である。つまり加工は、例えばエネルギ供給ユニットが移動する第１のレールおよび／または第２のレールにおいて行うことができる。加工ユニットの、一方のレールから他方のレールへの移し替えは、加工ユニットの比較的小さな重量に基づき簡単に可能である。ガイドローラは特にレール長手方向に沿って配置されているため、加工ユニットは片側のレールのみに沿って簡単に手動で移動可能である。ガイドローラのこの配置形式に基づき、特に加工ユニットの、レールを中心とした傾倒も可能である。これにより、加工ユニットの適用範囲が拡張される。
【００２３】
請求項１２記載の加工機械は、オペレータにやさしくフレキシブルな削正加工を保証する。レール削正ユニットは、特に複数のガイドローラが回転可能に支承されておりかつ削正ユニットが配置された支持フレームを有している。削正ユニットは、好適には電気駆動モータまたは液圧駆動モータによって回転駆動可能な削正ツールを有している。削正ツールは、支持フレームに対して例えば手動でまたは電気モータによって高さ調節可能である。支持フレームには、特にオペレータ用の別個のハンドルが配置されている。
【００２４】
請求項１３記載の加工機械は、オペレータにやさしくフレキシブルな加工を保証する。少なくとも１つの車輪により、エネルギ供給ユニットを軌道まで簡単にかつオペレータにやさしく搬送することができる。少なくとも１つの車輪は特に、固い素地、例えば道路または固められた道におけるエネルギ供給ユニットの移動に適している。好適にはエネルギ供給ユニットは、共通の回転軸線に沿って離間されて支持フレームに支承された少なくとも２つの車輪を有している。少なくとも２つの車輪は、好適には支持フレームの、ハンドルに面した側に配置されている。これによりエネルギ供給ユニットを、ハンドルを介して車輪の回転軸線を中心として旋回させひいては車輪でもって移動させることができる。少なくとも１つの車輪は、特にそれぞれリムと、リムに配置されたタイヤとを有している。
【００２５】
請求項１４記載の加工機械は、オペレータにやさしくフレキシブルな加工を保証する。少なくとも１つの補助駆動装置に基づき、エネルギ供給ユニットはモータによって移動させられる。特に、エネルギ供給ユニットの手動での移動がモータにより支援される。少なくとも１つの補助駆動装置は、電気駆動モータとして形成されている。好適には、各電気駆動モータは１つの電気エネルギ蓄え器によって運転される。少なくとも１つの補助駆動装置は、少なくとも１つのガイドローラおよび／または少なくとも１つの車輪の回転駆動に用いられる。少なくとも１つのガイドローラおよび／または少なくとも１つの車輪は、エネルギ供給ユニットの支持フレームに回転可能に支承されている。例えば、少なくとも１つのガイドローラを駆動する補助駆動装置と、少なくとも１つの車輪を駆動する補助駆動装置とがそれぞれ設けられている。さらに例えば、少なくとも１つのガイドローラと少なくとも１つの車輪とを駆動するまたは選択的に駆動する、１つの共通の補助駆動装置が設けられている。補助駆動装置は、特に伝動装置を介して選択的に、少なくとも１つのガイドローラまたは少なくとも１つの車輪に連結可能である。
【００２６】
請求項１５記載の加工機械は、オペレータにやさしくフレキシブルな加工を保証する。運搬面は、例えば加工ユニットおよび／またはツールを運搬するために用いられる。好適には、エネルギ供給ユニットは、運搬面と、運搬面を包囲する側壁とを含む運搬容器を有している。運搬容器は、特に蓋で閉鎖可能であってよい。
【００２７】
さらに、本発明の根底を成す課題は、オペレータにやさしく、フレキシブルで確実な軌道の加工を可能にする方法を提供することにある。
【００２８】
この課題は、請求項１６記載の特徴を有する方法によって解決される。本発明による方法の利点は、既述した、本発明による加工機械の利点に相応する。
【００２９】
本発明の別の特徴、利点および詳細は、複数の実施例の以下の説明から明らかである。
【図面の簡単な説明】
【００３０】
【図１】エネルギ供給ユニットと、エネルギ供給ユニットにエネルギを伝達するように接続され、軌道を加工するためにエネルギ供給ユニットから独立して手動で移動可能な加工ユニットとを備えた加工機械の斜視図である。
【図２】エネルギ供給ユニットの斜視図である。
【図３】加工ユニットがエネルギ供給ユニットに保持された移動状態における、図１に示した加工機械の斜視図である。
【図４】軌道のレール上での移動状態における、加工機械の側面図である。
【図５】軌道のレールに沿った手動での移動中の移動状態における、加工機械の正面図である。
【図６】レールに対して傾けられて位置固定された作業状態における、エネルギ供給ユニットの正面図である。
【図７】第２の実施例による加工機械のエネルギ供給ユニットの斜視図である。
【図８】第３の実施例による加工機械のエネルギ供給ユニットの斜視図である。
【図９】図８に示したエネルギ供給ユニットの側面図である。
【図１０】図８に示したエネルギ供給ユニットの正面図である。
【図１１】第４の実施例による加工機械のエネルギ供給ユニットの斜視図である。
【図１２】図１１に示したエネルギ供給ユニットの側面図である。
【図１３】図１１に示したエネルギ供給ユニットの正面図である。
【発明を実施するための形態】
【００３１】
以下に、図１〜図６に基づき本発明の第１の実施例を説明する。図１に示す加工機械１は、軌道２の加工に用いられる。軌道２には、道床Ｓまたは路盤に配置されたまくらぎ５に固定された第１のレール３および第２のレール４が含まれる。
【００３２】
加工機械１は、電気エネルギを供給するエネルギ供給ユニット６と、電気式に操作可能な加工ユニット７とを有しており、エネルギ供給ユニット６と加工ユニット７とは機械的に互いに別個に形成されており、それぞれ別個の機能ユニットを形成している。電気エネルギを供給するために、加工ユニット７は供給導線８の形態のエネルギ伝達接続手段を介してエネルギ供給ユニット６に接続されている。このために供給導線８は、第１の接続コンタクト９を介してエネルギ供給ユニット６に取外し可能に接続されており、かつ第２の接続コンタクト１０を介して加工ユニット７に取外し可能に接続されている。エネルギ伝達接続手段は、好適には、２ｍ≦Ｌ≦３０ｍ、特に３ｍ≦Ｌ≦２０ｍ、特に４ｍ≦Ｌ≦１０ｍが当てはまる、長さＬを有している。
【００３３】
エネルギ供給ユニット６は支持フレーム１１を有しており、支持フレーム１１には、２つのガイドローラ１２，１３が対応する回転軸線１４，１５を中心として回転可能に支承されている。ガイドローラ１２，１３は、ガイドローラ１２，１３がレール長手方向１６または移動方向に沿って互いに一直線上に位置しておりかつ回転軸線１４，１５がレール長手方向１６に沿って離間されているように支持フレーム１１に配置されており、これにより、エネルギ供給ユニット６は選択的にレール３または４上を手動で移動可能である。
【００３４】
手動での移動用に、支持フレーム１１にはハンドル１７が取り付けられている。ハンドル１７は、例えば支持フレーム１１に固定的にまたは折畳み可能に取り付けられている。追加的にエネルギ供給ユニット６は運搬用に、支持フレーム１１に取り付けられたハンドル１８と取付け穴１９とを有している。ハンドル１８は、例えば支持フレーム１１の側方に固定的にまたは折畳み可能に配置されている。
【００３５】
エネルギ供給ユニット６は、支持および位置固定用に、２つの第１の支持部材２０および２つの第２の支持部材２１を有している。第１の支持部材２０は、ガイドローラ１２，１３の第１の側に配置されているのに対し、第２の支持部材２１は、反対側に位置する、ガイドローラ１２，１３の第２の側に配置されている。第１の支持部材２０は、レール長手方向１６に沿って互いに離間されている。これに相応して、第２の支持部材２１もレール長手方向１６に沿って互いに離間されている。支持部材２０，２１は、支持枠として形成されている。
【００３６】
支持部材２０，２１は、回転軸線１４，１５により規定される平面Ｅに対して垂直に移動可能に、支持フレーム１１に取り付けられている。移動可能な取付けは、例えば長孔・ねじ結合手段（詳しくは図示せず）を介して行われる。支持部材２０，２１の移動可能な取付けにより、支持部材２０，２１はガイドローラ１２，１３または回転軸線１４，１５により規定される平面Ｅに対して高さ調節可能である。換言すると、回転軸線１４，１５により規定される平面Ｅと、支持部材２０，２１の各支持面Ｆとの間隔Ａが調節可能になっている。
【００３７】
エネルギ供給ユニット６はさらに、加工ユニット７を一時的に保持する保持体２２を有している。保持体２２は、支持フレーム１１に配置された２つの第１の保持部材２３および１つの第２の保持部材２４を有している。保持体２２は、ガイドローラ１２，１３に対して実質的に中心に配置されている。好適には、保持体２２は支持フレーム１１の、ハンドル１７とは反対の側に配置されている。第１の保持部材２３が相並んで側方に配置されているのに対し、第２の保持部材は第１の保持部材２３に対して中心の下側に配置されているため、三点保持体が形成されることになる。
【００３８】
電気エネルギを供給するために、エネルギ供給ユニット６は電気エネルギ発生器２５を有しており、電気エネルギ発生器２５は、内燃機関２６、発電機２７および充電装置２８を有している。発電機２７は、一方では内燃機関２６と機械的に連結されておりかつ他方では、出力側に充電電圧または直流電圧を供給する充電装置２８と電気的に接続されている。充電電圧により、エネルギ供給ユニット６の電気エネルギ蓄え器２９が充電される。電気エネルギ蓄え器２９は、特にコンデンサもしくはコンデンサ回路および／またはアキュムレータである。回路構成に関しては、独国実用新案第２０２０１６００５８４１号明細書を参照されたい。
【００３９】
加工ユニット７は、レール削正ユニットとして形成されている。加工ユニット７は支持フレーム３０を有しており、支持フレーム３０には、ガイドローラ３１，３２が回転可能に支承されている。ガイドローラ３１，３２は、加工ユニット７が選択的に第１のレール３または第２のレール４上を手動で移動可能であるように、支持フレーム３０に配置されている。エネルギ供給ユニット６の支持フレーム１１と、加工ユニット７の支持フレーム３０とは機械的に互いに別個に形成されているため、加工ユニット７はエネルギ供給ユニット６から独立して移動可能である。このために、支持フレーム３０にはハンドル３３が配置されている。
【００４０】
支持フレーム３０においてガイドローラ３１，３２間のほぼ中心には削正ユニット３４が取り付けられている。削正ユニット３４は、電気駆動モータ３６により回転軸線３７を中心として回転駆動可能な削正ツール３５を有している。削正ツール３５は、回転軸線３７の方向に手動で高さ調節可能である。削正ユニット３４の構成は周知であり、一般的なものである。
【００４１】
加工機械１は、一方ではエネルギ供給ユニット６に配置されておりかつ他方では加工ユニット７に配置された複数の照明部材３８，３９による照明を有している。
【００４２】
以下は加工機械１の機能形式である。
【００４３】
図１には、第１の軌道位置における加工機械１の作業状態が具体的に示されている。作業状態では、加工ユニット７は供給導線８を介してエネルギ供給ユニット６に接続されている。エネルギ供給ユニット６は、レール３または４のうちの片方に、例えば−図１に示すように−レール３上に配置されている。エネルギ供給ユニット６は、作業状態では傾けられた位置にあるため、例えば支持部材２０がまくらぎ５および／または道床Ｓに支持されている。このことは図６に具体的に示されている。これによりエネルギ供給ユニット６は、例えば急傾斜の軌道２における望ましくない変位に抗して位置固定されているため、デッドマンブレーキが不要である。支持部材２０は、必要に応じて支持フレーム１１に対して変位可能であり、したがって、平面Ｅと支持面Ｆとの間の間隔Ａを調節することができるようになっている。これにより、傾斜角度を調節することができる。
【００４４】
加工ユニット７による軌道２の加工は、エネルギ供給ユニット６に対して空間的に離間されて行われる。加工半径は、供給導線８の長さによってのみ制限される。削正加工時には選択的に、レール３またはレール４を加工することができる。加工ユニット７の比較的小さな重量に基づき、加工ユニット７は手動で簡単に一方のレールから他方のレール３または４に移動させることができる。削正加工は、加工ユニット７を手動で各レール３または４上を移動させることによって行われる。図１には例えば、レール４の削正加工が具体的に示されている。必要に応じて、加工時に照明部材３８および／または３９がスイッチオンされてよい。
【００４５】
加工半径内での軌道２の加工が終了すると、加工機械１を手動で移動させる必要がある。このために加工機械１は、図１に示した作業状態から、図３〜図５に具体的に示す移動状態にもたらされる。移動状態では、供給導線８がエネルギ供給ユニット６および加工ユニット７から外されており、位置固定された状態でエネルギ供給ユニット６に配置されている。加工ユニット７は保持体２２に配置され、これにより加工ユニット７は一時的にエネルギ供給ユニット６に保持されていることになる。次いで、加工機械１またはエネルギ供給ユニット６が水平位置に傾動され、この結果、支持面Ｆは最早、まくらぎ５および／または道床Ｓに支持されていない。この水平位置は図４および図５に具体的に示されている。間隔Ａは必要に応じて支持部材２０または２１の変位によって縮小し得るため、加工機械１またはエネルギ供給ユニット６は移動状態において、まくらぎ５または道床Ｓに対して増大された自由度を有している。このことは支持部材２０に関して図５に具体的に示されている。
【００４６】
加工機械１は、所望の第２の軌道位置に到達するまで、ハンドル１７を介して手動でレール３上を簡単に移動させることができる。ここで、加工機械１は再び逆に、移動状態から作業状態に移される。
【００４７】
軌道２への加工機械１の搬入および搬出は、複数のオペレータによる加工機械１の移動またはエネルギ供給ユニット６のみの移動を可能にするハンドル１８を用いて行われる。代替的に、加工機械１は、取付け穴１９に係合するリフト装置によって移動させられてもよい。好適には、加工機械１は搬入および搬出のために、図３に具体的に示す移動状態にある。代替的に、エネルギ供給ユニット６と加工ユニット７とは互いに別個に搬入・搬出されてもよい。
【００４８】
以下に、図７に基づき本発明の第２の実施例を説明する。先行の実施例とは異なり、支持部材２０，２１は対応する旋回軸線２０’，２１’を中心として旋回可能であり、支持面Ｆを平面Ｅの上方に変位させることができるようになっている。換言すると、支持部材２０，２１は、間隔Ａがゼロまたはゼロ未満になるように旋回することができる。つまり、この移動状態においてガイドローラ１２，１３は最早支持面Ｆの上側には位置していないため、エネルギ供給ユニット６または加工機械１は、例えば軌道２の横の固い素地上を手動で移動可能である。これにより、フレキシビリティが高められる。さらに、ハンドル１７は伸縮可能かつ折畳み可能に形成されている。これにより、搬入・搬出時に加工機械１をコンパクトな状態に移すことができるようになっている。加工機械１の別の構成および別の機能形式に関しては、先行の実施例を参照されたい。
【００４９】
以下に、図８〜図１０に基づき本発明の第３の実施例を説明する。先行の各実施例とは異なり、エネルギ供給ユニット６はガイドローラ１２，１３に加え、支持フレーム１１に回転可能に支承された２つの車輪４０，４１を有している。車輪４０，４１は、回転軸線４２を中心として回転可能である。車輪４０，４１は、支持フレーム１１の、ハンドル１７に面した側に配置されており、これにより、ハンドル１７を介してエネルギ供給ユニット６を、回転軸線４２を中心として傾けることができると共に、車輪４０，４１で自由に移動させることができるようになっている。下に降ろすために、エネルギ供給ユニット６は支持フレーム１１の、車輪４０，４１とは反対の側に、脚部４３を有している。車輪４０，４１はそれぞれリム４４と、リム４４に配置されたタイヤ４５とを有している。
【００５０】
支持フレーム１１上には電気エネルギ蓄え器２９が配置されている。エネルギ供給ユニット６は、特に内燃機関および発電機を全く有していない。電気エネルギ蓄え器２９は、電気供給導線８を接続する電気的な接続部Ｖに供給する。電気エネルギ蓄え器２９はさらに、直流電圧コンセントＧにも、変換器４６を介して交流電圧コンセントＷにも供給する。このために変換器４６は、交流コンバータとして形成されている。支持フレーム１１に配置された制御ユニット４７が、電気エネルギ蓄え器２９を監視すると共に、電圧供給用の変換器４６を制御する。制御ユニット４７は、ＵＳＢソケットＢを有している。
【００５１】
手動での移動を支援するために、エネルギ供給ユニット６は、ガイドローラ１２を駆動する第１の補助駆動装置４８と、車輪４１を駆動する第２の補助駆動装置４９とを有している。補助駆動装置４８，４９は、電気駆動モータとして形成されている。
【００５２】
エネルギ供給ユニット６は、運搬容器５０を有している。運搬容器５０は、支持フレーム１１の、ガイドローラ１２，１３または車輪４０，４１とは反対の側の上側に配置されている。運搬容器５０は、側壁５２によって包囲された運搬面５１を有している。加工機械１の別の構成および別の機能形式に関しては、先行の各実施例を参照されたい。
【００５３】
以下に、図１１〜図１３に基づき本発明の第４の実施例を説明する。先行の各実施例とは異なり、支持フレーム１１には４つのガイドローラ１２，１３，１２’および１３’が回転可能に支承されている。ガイドローラ１２，１３は、既に説明したように互いに一直線上に位置するように配置されており、この場合、対応する回転軸線１４，１５はレール長手方向１６に互いに離間されて配置されている。これに相応して、ガイドローラ１２’，１３’もレール長手方向１６に沿って互いに一直線上に位置するように配置されており、対応する回転軸線１４’，１５’もレール長手方向１６に互いに離間されて配置されている。回転軸線１４および１４’ならびに回転軸線１５および１５’は、互いに一直線上に位置している。ガイドローラ１２，１３の、ガイドローラ１２’，１３’までの間隔は、レール３，４の間隔に相当するため、エネルギ供給ユニット６はガイドローラ１２，１３を介して第１のレール３上を移動可能であると共に、ガイドローラ１２’，１３’を介して第２のレール４上を移動可能である。補助駆動装置４８を用いて、例えばガイドローラ１２を駆動することができ、この結果、エネルギ供給ユニット６の手動での移動が支援されるようになっている。補助駆動装置４８は、例えば伝達機構（詳しくは図示せず）を介してガイドローラ１２を駆動する。エネルギ供給ユニット６が自動的に移動しないように位置固定するために、エネルギ供給ユニット６は、ガイドローラ１２，１３，１２’，１３’のうちの少なくとも１つを止めるブレーキ５３を有している。加工機械１の別の構成および別の機能形式に関しては、先行の各実施例を参照されたい。
【００５４】
加工ユニットは、削正ユニット、取付けユニットまたは締固めユニットとして形成されていてよい。エネルギ供給ユニット６は選択的に、種々様々な加工ユニット７と共に運転可能である。
【００５５】
一般に、エネルギ供給ユニットは、電気エネルギ、液圧エネルギおよび／または機械エネルギを供給するように形成されていてよい。エネルギ供給ユニットは、エネルギ伝達接続手段を介して加工ユニットに接続されている。エネルギ伝達接続手段は、電気エネルギ、液圧エネルギおよび／または機械エネルギを伝達するように形成されている。例えば、エネルギ伝達接続手段は、電気供給導線、液圧供給導管および／またはフレキシブルな機械的な伝達軸として形成されている。加工ユニットは、電気エネルギ、液圧エネルギおよび／または機械エネルギにより運転可能である。
【図１】
2021535300.tif 000003
【図２】
2021535300.tif 000004
【図３】
2021535300.tif 000005
【図４】
2021535300.tif 000006
【図５】
2021535300.tif 000007
【図６】
2021535300.tif 000008
【図７】
2021535300.tif 000009
【図８】
2021535300.tif 000010
【図９】
2021535300.tif 000011
【図１０】
2021535300.tif 000012
【図１１】
2021535300.tif 000013
【図１２】
2021535300.tif 000014
【図１３】
2021535300.tif 000015
【国際調査報告】
2021535300.tif 000016
2021535300.tif 000017
2021535300.tif 000018
2021535300.tif 000019